(57)【特許請求の範囲】
【請求項１】
内燃機関の排気管に設けられている添加弁と、該添加弁よりも下流側の前記排気管に設けられている触媒とを、含んで構成されている内燃機関の排気浄化装置であって、
前記添加弁は、筒状のホルダ部、該ホルダ部の一端に固設されて前記排気管に取り付けられるフランジ部、および該ホルダ部の周囲に固定されている冷却フィンから構成される添加弁ホルダを介して前記排気管に固定され、
前記冷却フィンは、前記ホルダ部および前記フランジ部の両方に固定されており、振動の大きい方向に配置される冷却フィンほど径方向に長くされていることを特徴とする内燃機関の排気浄化装置。
【請求項２】
前記ホルダ部は、円筒状に形成されており、
前記冷却フィンは、前記ホルダ部の外周面から径方向に伸びる複数枚の板材で構成され、周方向において等角度間隔に放射状に配置されていることを特徴とする請求項１の内燃機関の排気浄化装置。
【請求項３】
前記冷却フィンには、穴または突起が形成されていることを特徴する請求項１または２の内燃機関の排気浄化装置。
【請求項４】
内燃機関の排気管に設けられて該排気管内に添加剤を添加する添加弁を前記排気管に固定するための添加弁ホルダであって、
前記添加弁ホルダは、筒状のホルダ部、該ホルダ部の一端に固設されて前記排気管に取り付けられるフランジ部、および該ホルダ部の周囲に固定されている冷却フィンから構成され、
前記冷却フィンは、前記ホルダ部および前記フランジ部の両方に固定されており、振動の大きい方向に配置される冷却フィンほど径方向に長くされていることを特徴とする添加弁ホルダ。
【発明の詳細な説明】
【技術分野】
【０００１】
本発明は、内燃機関から排出される排気ガスを浄化する排気浄化装置、およびその排気浄化装置を構成する添加弁の添加弁ホルダの構造に関するものである。
【背景技術】
【０００２】
ディーゼルエンジンをはじめとする内燃機関から排出される排気ガスは、窒素や水蒸気の他、有害物質であるＣＯ（一酸化炭素）、ＨＣ（炭化水素）、窒素酸化物（ＮＯx）が含まれている。このＮＯxを浄化するため、内燃機関の排気管の上流側から還元剤添加弁、選択還元型ＮＯx触媒（ＳＣＲ触媒）を順次配置し、還元剤添加弁から添加された還元剤から生成されるＮＨ3（アンモニア）を用いて、ＳＣＲ触媒に流入する排気ガス中のＮＯxを浄化する排気浄化装置を設けたものが知られている。特許文献１の内燃機関の排気浄化装置もその一例である。特許文献１には、排気管２５に接続管４１を介して取り付けられた還元剤噴射弁３５の外周面に、径方向に広がる円板状の放熱フィン３５ｂ（冷却フィン）が所定間隔で複数枚取り付けられている構造が開示されている。これより、還元剤噴射弁３５に伝達される熱が放熱フィン３５ｂによって放熱されるので、還元剤噴射弁３５の過熱が抑制されるようになっている。
【先行技術文献】
【特許文献】
【０００３】
【特許文献１】特開２００９−４１３７０号公報
【発明の概要】
【発明が解決しようとする課題】
【０００４】
ところで、特許文献１の排気浄化装置において、内燃機関の作動によってその排気管が振動すると、その振動が還元剤添加弁に伝達される。この振動によって還元剤添加弁に撓みが生じ、還元剤添加弁の噴霧軌道にブレが生じたり、還元剤添加弁を支持するホルダと接続管とを固定するフランジ部にシール不良が生じる可能性があった。これは、前記還元剤添加弁を支持するホルダの剛性不足に起因するものと考えられる。特に、車両に搭載された内燃機関に接続された排気管に設けられる場合には、車両の振動がさらに加えられるため、そのような問題が顕著となる。
【０００５】
本発明は、以上の事情を背景として為されたものであり、その目的とするところは、内燃機関の排気管に設けられる排気浄化装置において、排気管の振動に耐えうる十分な剛性を備えた構造を提供することにある。
【課題を解決するための手段】
【０００６】
上記目的を達成するための、第１発明の要旨とするところは、内燃機関の排気管に設けられている添加弁と、その添加弁よりも下流側の前記排気管に設けられている触媒とを、含んで構成されている内燃機関の排気浄化装置であって、(a)前記添加弁は、筒状のホルダ部、そのホルダ部の一端に固設されて前記排気管に取り付けられるフランジ部、およびそのホルダ部の周囲に固定されている冷却フィンから構成される添加弁ホルダを介して前記排気管に固定されており、(b)前記冷却フィンは、前記ホルダ部および前記フランジ部の両方に固定されており、(c)振動の大きい方向に配置される冷却フィンほど径方向に長くされていることを特徴とする。
【発明の効果】
【０００７】
このようにすれば、前記冷却フィンは、前記ホルダ部および前記フランジ部の両方に固定されているため、冷却フィンが冷却（放熱）の機能を果たすだけでなく、補強リブとしても機能する。従って、冷却フィンによって添加弁ホルダの剛性が向上し、添加弁ホルダの撓みによる添加弁の噴霧軌道のブレや、フランジ部のシール不良を抑制することができる。また、振動が大きい部位の冷却フィンの径方向の寸法を大きくすることで、振動が大きい部位ほど剛性が高くなり、剛性の向上が必要な部位の剛性を効率よく向上させることができる。
【０００８】
また、好適には、第２発明の要旨とするところは、第１発明において、前記ホルダ部は、円筒状に形成されており、前記冷却フィンは、前記ホルダ部の外周面から径方向に伸びる複数枚の板材で構成され、周方向において等角度間隔に放射状に配置されている。このようにすれば、添加弁ホルダの剛性を、周方向において全体にわたって向上させることができる。
【００１０】
また、好適には、第３発明の要旨とするところは、第１発明または第２発明の内燃機関の排気浄化装置において、前記冷却フィンには、穴または突起が形成されている。このようにすれば、前記穴または突起が形成されることで、前記冷却フィン周辺の空気の流れが積極的に乱され、冷却フィンの冷却効果をさらに向上させることができる。
【００１１】
また、好適には、第４発明の要旨とするところは、内燃機関の排気管に設けられてその排気管内に添加剤を添加する添加弁を前記排気管に固定するための添加弁ホルダであって、(a)前記添加弁ホルダは、筒状のホルダ部、そのホルダ部の一端に固設されて前記排気管に取り付けられるフランジ部、およびそのホルダ部の周囲に固定されている冷却フィンから構成され、(b)前記冷却フィンは、前記ホルダ部および前記フランジ部の両方に固定されており、振動の大きい方向に配置される冷却フィンほど径方向に長くされている。
【００１２】
このようにすれば、前記冷却フィンが、前記ホルダ部および前記フランジ部の両方に固定されているため、冷却フィンが冷却（放熱）の機能を果たすだけでなく、補強リブとしても機能する。従って、冷却フィンによって添加弁ホルダの剛性が向上し、添加弁ホルダの撓みによる添加弁の噴霧軌道のブレや、フランジ部のシール不良を抑制することができる。また、振動が大きい部位の冷却フィンの径方向の寸法を大きくすることで、振動が大きい部位ほど剛性が高くなり、剛性の向上が必要な部位の剛性を効率よく向上させることができる。
【００１３】
また、好適には、前記冷却フィンは、前記ホルダ部および前記フランジ部に溶接または一体成形によって固定されている。
【００１４】
また、好適には、前記添加弁は尿素水添加弁であり、前記触媒は選択還元型触媒（ＳＣＲ触媒）から構成されている。
【図面の簡単な説明】
【００１５】
【図１】本発明が好適に適用された内燃機関であるエンジンの排気管に設けられている排気浄化装置の概略構成を示す図である。
【図２】図１の尿素水添加弁の拡大図である。
【図３】図２の尿素水添加弁を、矢印Ａ方向からみたＡ矢視図である。
【図４】本発明の他の実施例である尿素水添加弁において、主に尿素水添加弁を排気管に固定する添加弁ホルダの構造を示す図であり、前述した実施例の図３に対応している。
【図５】本発明のさらに他の実施例である尿素水添加弁において、主に尿素水添加弁を排気管に固定する添加弁ホルダの構造を示す図であり、前述した実施例の図３、４に対応している。
【図６】本発明のさらに他の実施例である尿素水添加弁において、主に尿素水添加弁を排気管に固定する添加弁ホルダの構造を示す図であり、前述した実施例の図３〜図５に対応している。
【図７】本発明のさらに他の実施例である尿素水添加弁において、主に尿素水添加弁を排気管に固定する添加弁ホルダの構造を示す図であり、前述した実施例の図２に対応している。
【発明を実施するための形態】
【００１６】
以下、本発明の実施例を図面を参照しつつ詳細に説明する。なお、以下の実施例において図は適宜簡略化或いは変形されており、各部の寸法比および形状等は必ずしも正確に描かれていない。
【実施例１】
【００１７】
図１は、本発明が好適に適用された内燃機関であるエンジン１０の排気管１２に設けられている排気浄化装置１４の概略構成を示している。排気浄化装置１４は、主にエンジン１０の排気管１２に設けられている尿素水添加弁１６（添加弁）と、その尿素水添加弁１６よりも下流側の排気管１２に設けられている公知である選択還元型触媒１８（触媒）とを含んで構成されている。
【００１８】
車両に備えられる内燃機関であるエンジン１０は、例えば４つの気筒を有する４スロトーク形式のディーゼルエンジンで構成されている。  
【００１９】
選択還元型触媒（以下、ＳＣＲ触媒１８）１８は、ＮＨ3（アンモニア）を用いて排気管１２内を流れる排気ガス中の窒素酸化物（以下、ＮＯx）を還元浄化する。例えば、ＮＯは、４ＮＯ＋４ＮＨ3＋Ｏ2→４Ｎ2＋Ｈ2Ｏのような反応によってＮ2に還元される。また、ＮＯ2は、６ＮＯ2＋８ＮＨ3→７Ｎ2＋１２Ｈ2Ｏのような反応によってＮ2に還元される。また、ＮＯおよびＮＯ2は、ＮＯ＋ＮＯ2＋２ＮＨ3→２Ｎ2＋３Ｈ2Ｏのような反応によってＮ2に還元される。また、ＳＣＲ触媒１８は、ＮＨ3を吸着する機能を有している。なお、ＳＣＲ触媒１８は、例えばゼオライト等で形成される。
【００２０】
ＳＣＲ触媒１８の上流側に位置する排気管１２には、ＳＣＲ触媒１８に加水分解される還元剤（添加剤）として尿素水溶液（以下、尿素水）を添加する尿素水添加弁１６が設けられている。尿素水添加弁１６からは、尿素水タンク２０に溜められている尿素水が指令に基づいて排気管１２内に噴射される。噴射された尿素水は、（ＮＨ2）２ＣＯ＋Ｈ2Ｏ→２ＮＨ3＋ＣＯ2のような反応で排気熱を用いて加水分解され、ＮＨ3が生成される。
【００２１】
排気管１２の尿素水添加弁１６が設けられている部位よりもさらに上流側（エンジン側）には、ＳＣＲ触媒１８に流入する排気ガス中のＮＯxの濃度を検出する第１ＮＯxセンサ２２が設けられている。また、ＳＣＲ触媒１８の下流側には、ＳＣＲ触媒１８から流出する排気ガス中のＮＯxの濃度を検出する第２ＮＯxセンサ２４が設けられている。また、ＳＣＲ触媒１８には、ＳＣＲ触媒床温を検出する温度センサ２６が設けられている。これら各センサによって検出された各データは、電子制御装置２８に供給される。
【００２２】
尿素水添加弁１６は、例えばＯＮ−ＯＦＦを繰り返す電流を与えてそのＤＵＴＹ比を変更することにより、噴射される尿素水の量を調整するＤＵＴＹソレノイド弁から構成される。前記噴射される尿素水の量は、エンジン１０の回転速度Ｎeやアクセル開度Ａcc等に基づいて推定されるＮＯx量、第１ＮＯxセンサ２２から検出されるＮＯxの濃度、第２ＮＯxセンサ２４から検出されるＮＯxの濃度等に基づいて適宜調整される。
【００２３】
図２に、尿素水添加弁１６周辺の拡大図を示す。尿素水添加弁１６は、排気管１２に接続されている接続管３０、および尿素水添加弁１６を接続管３０に固定するための添加弁ホルダ３２を介して排気管１２に接続されている。なお、接続管３０は、排気管１２に接続されていることから排気管１２の一部であり、本発明の排気管にも対応している。
【００２４】
添加弁ホルダ３２は、尿素水添加弁１６と接続管３０（排気管１２）とを固定（連結）するための部材であり、鋼やアルミ等の金属製の円筒形状のホルダ部３６と、ホルダ部３６の一端から径方向に伸びる円板状の金属製のフランジ部３８と、ホルダ部３６の周囲に固定された状態で設けられている金属製の冷却フィン４０とを有している。
【００２５】
フランジ部３８は、ホルダ部３６の軸方向において接続管３０側の一端に固設され、その一端から径方向に伸びる円板状の部材であり、接続管３０を介して排気管１２に取り付けられる。また、接続管３０の端部にも円板状のフランジ部４２が形成されており、ホルダ部３６側のフランジ部３８と接続管３０側のフランジ部４２とが、図示しないボルトによって着脱可能に締結（連結）されている。
【００２６】
冷却フィン４０は、矩形薄板状の複数枚の金属板材から成り、ホルダ部３６の外周面に固定された状態で径方向に伸びるように配置されている。また、冷却フィン４０は、周方向において等角度間隔となるように放射状に複数枚配置されている。図３は、図２の尿素水添加弁１６および添加弁ホルダ３２を、矢印Ａ方向からみたＡ矢視図である。本実施例では、冷却フィン４０は、ホルダ部３６の周囲に接した状態で等角度間隔（９０度間隔）で放射状に４枚配置されている。
【００２７】
図２に戻り、本実施例の冷却フィン４０は、ホルダ部３６およびフランジ部３８の両方に一体的に固定されている。具体的には、太実線で示す、ホルダ部３６と冷却フィン４０との接触面４６、およびフランジ部３８と冷却フィン４０との接触面４８が、例えば溶接によって一体的に固定されている。或いは、ホルダ部３６と、フランジ部３８と、冷却フィン４０とが、一体成形されることで固定されても構わない。この冷却フィン４０が設けられることで、添加弁ホルダ３２に伝達される排気ガスの熱が冷却フィン４０から放熱され、尿素水添加弁１６および添加弁ホルダ３２の過熱による損傷が防止される。
【００２８】
ここで、冷却フィン４０は、添加弁ホルダ３２の剛性を向上させるための補強リブとしても機能している。エンジン駆動時に排気管１２が振動すると、接続管３０を介して添加弁ホルダ３２にもその振動が伝達され、この振動が、尿素水添加弁１６側において増幅される。これに起因して添加弁ホルダ３２が振動すると添加弁ホルダ３２に撓みが生じ、その添加弁ホルダ３２に固定された尿素水添加弁１６の尿素噴霧軌道にブレが生じたり、フランジ部３８、４２間においてシール不良が生じたりする不具合が発生する可能性がある。これに対して、本実施例の冷却フィン４０は、ホルダ部３６およびフランジ部３８の両方に一体的に固定されているため、冷却フィン４０が添加弁ホルダ３２の補強リブとしての機能を果たし、添加弁ホルダ３２の剛性が向上する。従って、振動による添加弁ホルダ３２の撓みも抑制され、上記不具合の発生も抑制される。なお、冷却フィン４０の形状や枚数は、冷却フィン４０によって尿素水添加弁１６の過熱が防止されるとともに、尿素水添加弁１６および添加弁ホルダ３２に伝達される振動による上記不具合が抑制されるように、予め実験や計算に基づいて設定されている。
【００２９】
上述のように、本実施例によれば、冷却フィン４０は、ホルダ部３６およびフランジ部３８の両方に固定されているため、冷却フィン４０が冷却（放熱）の機能を果たすだけでなく、補強リブとしても機能する。従って、冷却フィン４０によって添加弁ホルダ３２の剛性が向上し、添加弁ホルダ３２の撓みによる尿素水添加弁１６の噴霧軌道のブレや、フランジ部３８、４２のシール不良を抑制することができる。
【００３０】
また、本実施例によれば、ホルダ部３６は、円筒状に形成されており、冷却フィン４０は、ホルダ部３６の外周面から径方向に伸びる複数枚の板材で構成され、周方向において等角度間隔に放射状に配置されている。このようにすれば、添加弁ホルダ３２の剛性を、周方向の全体にわたって略均等に向上させることができる。
【００３１】
つぎに、本発明の他の実施例を説明する。なお、以下の説明において前述の実施例と共通する部分には同一の符号を付して説明を省略する。
【実施例２】
【００３２】
図４は、本発明の他の実施例である尿素水添加弁６０（添加弁）において、主にその尿素水添加弁６０を接続管３０（排気管１２）に固定する添加弁ホルダ６２の構造を示す図であり、前述した実施例の図３に対応している。なお、尿素水添加弁６０を備える排気浄化装置全体の概略構成は、前述した実施例の排気浄化装置１４と略同じであるためその説明を省略する。本実施例では、冷却フィン６４がホルダ部３６およびフランジ部３８に固定された状態で、等角度間隔（１２０度間隔）で放射状に３枚配置されている。また、冷却フィン６４は、前述した実施例と同様に、ホルダ部３６およびフランジ部３８の両方に一体的に固定されている。従って、本実施例においても、冷却フィン６４が尿素水添加弁６０および添加弁ホルダ６２の過熱防止だけでなく、添加弁ホルダ６２の剛性を向上させるための補強リブとして機能している。なお、本実施例では、冷却フィン６４は３枚とされており、前述の実施例に比べてさらに部品点数が低減されているが、冷却フィン６４によって過熱を防止すると共に、振動による撓みを抑制可能な剛性を得られる範囲内において、冷却フィン６４の枚数を減らすこともできる。
【００３３】
上述のように、本実施例によっても、前述した実施例と略同様の効果を得ることができる。また、冷却フィン６４の枚数が少なくされることで、部品点数の増加が抑制される。
【実施例３】
【００３４】
図５は、本発明のさらに他の実施例である尿素水添加弁７０（添加弁）において、主にその尿素水添加弁７０を接続管３０（排気管１２）に固定する添加弁ホルダ７２の構造を示す図であり、前述した実施例の図３、図４に対応している。なお、尿素水添加弁７０を備える排気浄化装置の概略構成は、前述した実施例の排気浄化装置１４と略同じであるためその説明を省略する。本実施例では、冷却フィン７４がホルダ部３６およびフランジ部３８に固定された状態で、等角度間隔（４５度間隔）で放射状に８枚配置されている。また、冷却フィン７４は、前述した実施例と同様に、ホルダ部３６およびフランジ部３８の両方に一体的に固定されている。従って、本実施例においても、冷却フィン７４が尿素水添加弁７０および添加弁ホルダ７２の過熱防止だけでなく、添加弁ホルダ７２の剛性を向上させるための補強リブとして機能している。なお、本実施例では、冷却フィン７４が放射状に８枚配置されているため、添加弁ホルダ７２の剛性も高く、冷却フィン７４による放熱効果（冷却効果）も向上している。
【００３５】
上述のように、本実施例によっても、前述した実施例と略同様に効果を得ることがでる。また、冷却フィン７４の枚数が前述した実施例に比べて増加していることから、添加弁ホルダ７２の剛性も高く、冷却フィン７４による放熱効果も優れている。
【実施例４】
【００３６】
図６は、本発明のさらに他の実施例である尿素水添加弁８０（添加弁）において、主に尿素水添加弁８０を接続管３０（排気管１２）に固定する添加弁ホルダ８２の構造を示す図であり、前述した実施例の図３〜図５に対応している。なお、尿素水添加弁８０を備える排気浄化装置の概略構成は、前述した実施例の排気浄化装置１４と略同じであるためその説明を省略する。本実施例では、フランジ部８６が楕円形状に形成されている。また、冷却フィン８４の径方向の長さが、配置される部位に応じて変化している。具体的には、フランジ部８６の長軸側に設けられている冷却フィン８４ａが最も径方向に長く形成されており、短軸側に設けられている冷却フィン８４ｃが最も径方向に短く形成されている。また、周方向において冷却フィン８４ａと冷却フィン８４ｃとの間に設けられている冷却フィン８４ｂは、冷却フィン８４ａと冷却フィン８４ｃとの中間程度の径方向の長さとされている。従って、冷却フィン８４ａが固定されている部位の剛性が高く、冷却フィン８４ｃが固定されている部位の剛性が低くなる。すなわち、本実施例では、冷却フィン８４の大きさや形状が配置される部位に応じてそれぞれ異なることで、剛性が周方向において変化している。
【００３７】
ここで、冷却フィン８４ａが設けられている部位は、振動が伝達された際に振れ（振幅）が大きい部位に設定されている。すなわち、振動の大きい方向に配置される冷却フィン８４ほど径方向に長くされ、それに従って剛性が高くされている。なお、周方向において振動が大きい部位は、予め実験や計算によって求められており、これに基づいて振動が大きい部位の剛性が高くなるように、冷却フィン８４が適切な大きさや形状に設定されている。従って、周方向において振動の大きい部位、すなわち剛性を向上させる必要のある部位ほど剛性が高くされる。これより、振動の小さい部位では冷却フィンを小型化、或いはなくすこともでき、一方、振動の大きい部位では冷却フィンを大きくすることで、添加弁ホルダ８２の剛性を必要に応じて効率よく確保することができる。
【００３８】
上述のように、本実施例によっても、前述した実施例と略同様の効果を得ることができる。また、冷却フィン８４は、配置される部位に応じて大きさや形状がそれぞれ異なる。具体的には、振動が大きい部位ほど冷却フィン８４の径方向の長さが長くなっている。このようにすれば、周方向において振動が大きい部位の冷却フィン８４の長さが長くされることで、振動が大きい部位ほど剛性が高くなる。このように、冷却フィン８４の大きさや形状を振動の大きさに応じて異ならせることで、剛性の向上が必要な部位の剛性を、効率よく向上させることができる。
【実施例５】
【００３９】
図７は、本発明のさらに他の実施例である尿素水添加弁９０（添加弁）において、主に尿素水添加弁９０を接続管３０（排気管１２）に固定する添加弁ホルダ９２の構造を示す図であり、前述の実施例の図２に対応している。なお、尿素水添加弁９０を備える排気浄化装置の概略構成は、前述した実施例の排気浄化装置１４と略同じであるためその説明を省略する。本実施例の冷却フィン９４には、それぞれ４個の貫通穴９６（本発明において穴に対応）が形成されている。このように、冷却フィン９４に貫通穴９６が形成されると、冷却フィン周辺の空気の流れに乱れが生じる。ここで、空気の流れに乱れがあるほど、冷却フィンと空気との間での熱伝達が向上することから、冷却フィン９４による冷却効果（放熱効果）が向上する。また、冷却フィン周辺の空気の流れに乱れを発生させる範囲において、貫通穴９６に代わって、冷却フィン９４に例えば半球或いは円柱状の突起９６’を設けても構わない。この突起９６’によっても空気の流れに乱れを生じさせることができ、冷却フィン９４の冷却効果をさらに向上させることができる。
【００４０】
上述のように、本実施例によっても、前述した実施例と略同様の効果を得ることができる。また、冷却フィン９４には、貫通穴９６または突起９６’が形成されることで、冷却フィン周辺の空気の流れが積極的に乱され、冷却フィン９４の冷却効果をさらに向上させることができる。
【００４１】
以上、本発明の実施例を図面に基づいて詳細に説明したが、本発明はその他の態様においても適用される。
【００４２】
例えば、前述の各実施例は、それぞれ別個の尿素水添加弁として説明されているが、例えば、図５の冷却フィン７４に貫通穴９６を形成するなど、前述した各実施例を適宜組み合わせて実施しても構わない。
【００４３】
また、前述の各実施例は、尿素水添加弁であったが、尿素水だけでなく他の水溶液を添加する構成であっても本発明を適宜適用することができる。
【００４４】
また、前述の実施例において、冷却フィンの枚数として、３、４、８枚の態様が説明されているが、冷却フィンの枚数は、冷却性や剛性に基づいて適宜変更しても構わない。
【００４５】
また、前述の実施例において、各冷却フィンは、矩形に形成されているが、冷却フィンの形状は矩形に限定されず、例えば三角形状など適宜変更しても構わない。また、冷却フィンの形状は、必ずしも全て同一形状とする必要はなく、適宜変化させて実施することもできる。
【００４６】
また、前述の実施例において、各冷却フィンは、板厚が等しい平板で形成されているが、板厚が径方向に変化したり、平板ではなく曲面を有する板で形成されても構わない。なお、この場合であっても、冷却フィンは、ホルダ部およびフランジ部の両方に一体的に固定される。
【００４７】
また、前述の実施例において、各冷却フィンは、周方向において等角度間隔で放射状に配置されているが、必ずしも等角度間隔で放射状に配置する必要はない。例えば、振動の大きい部位ほど冷却フィンの数を多くするなど、適宜変更することができる。
【００４８】
また、前述の実施例において、冷却フィン周辺の空気に乱れを生じさせる範囲において冷却フィン９４に形成されている貫通穴９６および突起９６’の個数や形状を適宜変更しても構わない。
【００４９】
また、前述の実施例では、ＳＣＲ触媒１８がゼオライトで形成されるとしたが、活性成分として他の貴金属等を用いて実施しても構わない。
【００５０】
また、前述の各実施例では、各冷却フィンとホルダ部およびフランジ部とが、隙間なく固定されているが、各冷却フィンがホルダ部およびフランジ部の両方に固定されているのであれば、一部に隙間が形成されていても構わない。
【００５１】
また、前述の実施例では、尿素水添加弁１６は、ＤＵＴＹソレノイド弁で構成されているとしたが、リニアソレノイド弁など尿素水の量を調整可能な弁であれば適宜変更しても構わない。
【００５２】
また、前述の各実施例では、尿素水添加弁と添加弁ホルダとがそれぞれ別体で構成されていたが、これらが一体で構成されるものであっても構わない。なお、尿素水添加弁と添加弁ホルダとが一体で構成される場合には、冷却フィンが尿素水添加弁の部位まで延長されても構わない。
【００５３】
なお、上述したのはあくまでも一実施形態であり、本発明は当業者の知識に基づいて種々の変更、改良を加えた態様で実施することができる。
【符号の説明】
【００５４】
１０：エンジン（内燃機関）
１２：排気管
１４：排気浄化装置
１６、６０、７０、８０、９０：尿素水添加弁（添加弁）
１８：選択還元型触媒（触媒）
３０：接続管（排気管）
３２、６２、７２、８２、９２：添加弁ホルダ
３６：ホルダ部
３８、８６：フランジ部
４０、６４、７４、８４、９４：冷却フィン
９６：貫通穴（穴）
９６’：突起
【図１】
0005704110.tif 000002
【図２】
0005704110.tif 000003
【図３】
0005704110.tif 000004
【図４】
0005704110.tif 000005
【図５】
0005704110.tif 000006
【図６】
0005704110.tif 000007
【図７】
0005704110.tif 000008